(57)【要約】【課題】ラベル材を容器本体から容易に分離することができるラベル付きブロー成形容器を提供する。【解決手段】プリフォーム３０の外周面に装着されてプリフォーム３０とともにブロー成形により延伸された筒状のラベル材２０が容器本体１０の胴部１３の外周面に剥離可能に密着しているラベル付きブロー成形容器１であって、ラベル材２０が、合成樹脂材料により形成されたラベル主体部２１と、ラベル主体部２１を形成する合成樹脂材料に対する相溶性が低い合成樹脂材料によりラベル材２０の軸方向の一端から他端にまで延びる帯状に形成され、ラベル主体部２１の周方向両端の間にラベル主体部２１に対して分離可能に接合している破断部２２と、を有することを特徴とするラベル付きブロー成形容器１。【選択図】図１
2019026339.tif 000002
【特許請求の範囲】
【請求項１】
プリフォームに装着されて該プリフォームとともにブロー成形により延伸された筒状のラベル材が容器本体の外周面に剥離可能に密着しているラベル付きブロー成形容器であって、
前記ラベル材が、
合成樹脂材料により形成されたラベル主体部と、
前記ラベル主体部を形成する合成樹脂材料に対する相溶性が低い合成樹脂材料により前記ラベル材の軸方向の一端から他端にまで延びる帯状に形成され、前記ラベル主体部の周方向両端の間に前記ラベル主体部に対して分離可能に接合している破断部と、を有することを特徴とするラベル付きブロー成形容器。
【請求項２】
前記ラベル主体部が、ポリオレフィン系樹脂またはポリエステル系樹脂である第１合成樹脂材料により形成され、
前記破断部が、前記第１合成樹脂材料３０〜５０重量％と、前記第１合成樹脂材料と接着不可能なエチレン・ビニルアルコール共重合樹脂またはナイロンである第２合成樹脂材料３〜２０重量％と、前記第１合成樹脂材料と前記第２合成樹脂材料とを接着可能とするための接着性ポリマーである第３合成樹脂材料３０〜５０重量％と、を含む合成樹脂材料により形成されている、請求項１に記載のラベル付きブロー成形容器。
【請求項３】
前記破断部が、エチレン−メタクリル酸共重合樹脂である第４合成樹脂材料５〜２０重量％をさらに含む、請求項２に記載のラベル付きブロー成形容器。
【発明の詳細な説明】
【技術分野】
【０００１】
本発明は、プリフォームをブロー成形して形成されたブロー成形容器に関し、特に、筒状のラベル材が設けられたラベル付きブロー成形容器に関する。
【背景技術】
【０００２】
ポリエチレンテレフタレート（ＰＥＴ）やポリプロピレン（ＰＰ）等の合成樹脂材料で形成されたプリフォームをブロー成形して形成されたブロー成形容器は、強靭で軽量であるなど長所を有することから、炭酸飲料等の清涼飲料、水、ビール、酒、醤油等を内容物として収容する容器として広く用いられている。
【０００３】
このようなブロー成形容器は、加飾を目的として、胴部等に商品名や図柄等を印刷したラベル材が装着されるのが一般的である。ラベル材としては、熱収縮して胴部等に装着されるシュリンクラベルや接着剤を用いて胴部に貼り付けられる貼着ラベルなどが知られているが、近年、ラベル材を容器本体により一体的に設けて容器の美観を高めるために、ラベル材をプリフォームとともにブロー成形により延伸させて容器本体の外周面に剥離可能に密着させた構成としたものが知られている。
【０００４】
例えば特許文献１には、インモールド成形によりプリフォームの胴部にラベル材を固着したものをブロー成形し、ラベル材をプリフォームとともに延伸させることにより、胴部に筒状のラベル材が剥離可能に密着して設けられた構成とされたラベル付きブロー成形容器が記載されている。
【先行技術文献】
【特許文献】
【０００５】
【特許文献１】特許第４６３６３７３号公報
【発明の概要】
【発明が解決しようとする課題】
【０００６】
ラベル材が装着されたブロー成形容器では、材料のリサイクル（再利用）のために、内容物が空になって廃棄処分等をする際に、ラベル材を容器本体から分離してラベル材と容器本体とを分別して回収する必要がある。
【０００７】
しかし、上記従来のラベル付きブロー成形容器では、ラベル材は容器本体の胴部に一体的に密着しているために容器本体から剥がし難く、また、筒状に形成されたラベル材には剥がす際に指で摘める部分がないことから、ラベル材を容器本体から剥離させて容器本体から分離する作業が困難であるという問題点があった。
【０００８】
本発明は、このような点を解決することを課題とするものであり、その目的は、ラベル材を容器本体から容易に分離することができるラベル付きブロー成形容器を提供することにある。
【課題を解決するための手段】
【０００９】
本発明のラベル付きブロー成形容器は、プリフォームに装着されて該プリフォームとともにブロー成形により延伸された筒状のラベル材が容器本体の外周面に剥離可能に密着しているラベル付きブロー成形容器であって、前記ラベル材が、合成樹脂材料により形成されたラベル主体部と、前記ラベル主体部を形成する合成樹脂材料に対する相溶性が低い合成樹脂材料により前記ラベル材の軸方向の一端から他端にまで延びる帯状に形成され、前記ラベル主体部の周方向両端の間に前記ラベル主体部に対して分離可能に接合している破断部と、を有することを特徴とする。
【００１０】
本発明のラベル付きブロー成形容器は、上記構成において、前記ラベル主体部が、ポリオレフィン系樹脂またはポリエステル系樹脂である第１合成樹脂材料により形成され、前記破断部が、前記第１合成樹脂材料３０〜５０重量％と、前記第１合成樹脂材料と接着不可能なエチレン・ビニルアルコール共重合樹脂またはナイロンである第２合成樹脂材料３〜２０重量％と、前記第１合成樹脂材料と前記第２合成樹脂材料とを接着可能とするための接着性ポリマーである第３合成樹脂材料３０〜５０重量％と、を含む合成樹脂材料により形成されているのが好ましい。
【００１１】
本発明のラベル付きブロー成形容器は、上記構成において、前記破断部が、エチレン−メタクリル酸共重合樹脂である第４合成樹脂材料５〜２０重量％をさらに含むのが好ましい。
【発明の効果】
【００１２】
本発明によれば、ラベル材を容器本体から容易に分離することができるラベル付きブロー成形容器を提供することができる。
【図面の簡単な説明】
【００１３】
【図１】本発明の一実施の形態であるラベル付きブロー成形容器を、その一部を切り欠いて示す正面図である。
【図２】図１に示すラベル付きブロー成形容器の要部の断面図である。
【図３】図１に示すラベル付きブロー成形容器を製造するためのプリフォームの半断面図である。
【図４】図１に示す容器本体からラベル材を分離する手順を示す説明図である。
【発明を実施するための形態】
【００１４】
以下、図面を参照して、本発明をより具体的に例示説明する。
【００１５】
図１に示す本発明の一実施の形態であるラベル付きブロー成形容器１は、例えば炭酸飲料などの清涼飲料を収容する用途に用いられるものであり、容器本体１０とラベル材２０とを有している。
【００１６】
容器本体１０は、図３に示す合成樹脂製のプリフォーム３０をブロー成形することにより形成された合成樹脂製のブロー成形品となっている。図１に示すように、容器本体１０は、円筒状の口部１１、口部１１の下端に連なるテーパー形状の肩部１２、肩部１２の下端に連なる円筒状の胴部１３及び胴部１３の下端を閉塞する底部１４を有し、全体としてボトル形状となっている。口部１１の外周面には雄ねじ１１ａが一体に設けられており、キャップ（不図示）を雄ねじ１１ａにねじ結合することで、口部１１をキャップにより閉塞することができる。
【００１７】
図３に示すように、プリフォーム３０は、合成樹脂材料を射出成形して形成された射出成形品となっており、口部１１と同一形状の口部３１と有底円筒状（略試験管状）の本体部３２とを備えている。なお、口部３１はブロー成形によっては変形せず、そのまま容器本体１０の口部１１となる。
【００１８】
本体部３２が延伸性を発現する所定の温度にまで加熱され、この状態でプリフォーム３０がブロー成形用の金型にセットされ、口部３１を通して本体部３２の内部に、例えば加圧エアーや加圧した液体等の加圧媒体が供給されることにより、当該プリフォーム３０はブロー成形されて、図１に示す所定形状の容器本体１０に成形される。
【００１９】
容器本体１０ないしプリフォーム３０を形成する合成樹脂材料としては、ブロー成形に適したものであれば、例えばポリエチレンテレフタレート（ＰＥＴ）やポリプロピレン（ＰＰ）、ポリエチレン（ＰＥ）、ポリエチレンナフタレート（ＰＥＮ）、ポリエチレンフラノエート（ＰＥＦ）、ポリ乳酸（ＰＬＡ）等の種々の合成樹脂材料を採用することができる。本実施の形態では、容器本体１０ないしプリフォーム３０はポリエチレンテレフタレート製である。
【００２０】
なお、プリフォーム３０は、合成樹脂材料を射出成形して形成した射出成形品に限らず、合成樹脂材料を押出ブロー成形して形成したブロー成形品であってもよい。
【００２１】
図１に示すように、ラベル材２０は、合成樹脂材料により、容器本体１０の胴部１３よりも軸方向寸法が短い円筒状に形成され、容器本体１０の胴部１３に設けられて胴部１３の外周面に剥離可能に密着している。ラベル材２０は、ボトル全体を着色されたラベル部材で覆うことで光遮断性を付与することもでき、また、ラベル表面に、例えば商品名や図柄等が印刷することで加飾性を付与されたものとすることができる。
【００２２】
図１、図２に示すように、ラベル材２０は、ラベル主体部２１と破断部２２とを有している。ラベル主体部２１は、合成樹脂材料により、ラベル材２０の周方向の大部分を占める断面Ｃ字のシート状（フィルム状）に形成されている。破断部２２は、ラベル材２０の軸方向の一端から他端にまで延びる帯状に形成されており、ラベル主体部２１の周方向の両端の間に配置されて、一方の側部２２ａにおいてラベル主体部２１の周方向の一端に接合し、他方の側部２２ｂにおいてラベル主体部２１の周方向の他端に接合している。破断部２２は、ラベル主体部２１を形成する合成樹脂材料に対する相溶性が低い合成樹脂材料によって形成されており、破断部２２の両側部２２ａ、２２ｂは、それぞれラベル主体部２１に対して接合されているが側部２２ａ、２２ｂに沿ってラベル主体部２１から分離可能となっている。
【００２３】
図示する場合では、破断部２２は、内周面側よりも外周面側における周方向幅が広い断面台形形状となっている。当該形状により、破断部２２をラベル主体部２１からより容易に分離することができる。なお、破断部２２の断面形状は上記した台形形状に限らず、例えば矩形形状などの他の形状であってもよい。
【００２４】
また、図示する場合では、破断部２２は、ラベル材２０の軸方向の一端から他端に向けて当該軸方向に平行に真っ直ぐに延びているが、破断部２２は、ラベル材２０の軸方向の一端から他端にまで達していればよく、例えばラベル材２０の軸方向に対して傾斜した方向に延びるものとしてもよい。
【００２５】
このラベル材２０は、図３に示すように、プリフォーム３０の外周面に装着され、プリフォーム３０とともにブロー成形されることにより、容器本体１０の胴部１３の外周面に対応した形状に延伸されて薄いシート状（フィルム状）となって胴部１３の外周面に剥離可能に密着するように設けられたものである。このように形成されたラベル材２０は、胴部１３の外周面に一体的に溶着されてはいないが、ブロー成形時に生じる押圧力によって胴部１３の外周面に圧着された状態となって当該胴部１３の外周面に剥離可能に密着（圧着）している。
【００２６】
例えば、ラベル材２０は、ラベル主体部２１を形成する合成樹脂材料と破断部２２を形成する合成樹脂材料とを共押出し成形し、ラベル主体部２１に対応したシート状部分と破断部２２に対応した帯状部分とを備えたシート材を形成し、このシート材を筒状に丸めて融着したものをプリフォーム３０の本体部３２に被せ、所定温度に加熱した後にブロー成形を行うことで、容器本体１０の胴部１３の外周面に剥離可能に密着するように設けることができる。
【００２７】
または、ラベル材２０は、ラベル主体部２１を形成する合成樹脂材料と破断部２２を形成する合成樹脂材料とを、ラベル主体部２１に対応した部分と破断部２２に対応した部分とを有するようにチューブ状に成形したものを、プリフォーム３０の本体部３２に被せ、所定温度に加熱した後にブロー成形を行うことで、容器本体１０の胴部１３の外周面に剥離可能に密着するように設けることができる。
【００２８】
または、ラベル材２０は、ラベル主体部２１を形成する合成樹脂材料と破断部２２を形成する合成樹脂材料とをチューブ状に共押出し成形し、これをプリフォーム３０の本体部３２の長さに合わせて切断したものをプリフォーム３０の本体部３２に被せ、所定温度に加熱した後にブロー成形を行うことで、容器本体１０の胴部１３の外周面に剥離可能に密着するように設けることができる。
【００２９】
プリフォーム３０に被せられたラベル材２０が、ブロー成形の際にプリフォーム３０と共に確実に延伸され、且つ、延伸後に容器本体１０の外周面に対して剥離可能となるようにするために、ラベル材２０のラベル主体部２１及び破断部２２を形成する合成樹脂材材料としては、プリフォーム３０を形成する合成樹脂材料に対する相溶性の低いものを用いるのが好ましい。
【００３０】
一方、ラベル材２０のラベル主体部２１及び破断部２２を形成する合成樹脂材材料として、プリフォーム３０を形成する合成樹脂材料に対して相溶性の高い同系統のものを用いる場合には、両者で共重合成分比を変えて相溶性を低下させたり、異種成分をブレンドして剥離性を高めたりすることで、容器本体１０の外周面に対するラベル材２０の剥離性を確保することができる。
【００３１】
このような構成のラベル付きブロー成形容器１では、ラベル材２０は、ラベル主体部２１及び破断部２２の何れの部位においても内周面の全体において容器本体１０の胴部１３の外周面に密着（圧着）した薄いシート状のものとなるので、ラベル付きブロー成形容器１を、ラベル材２０が容器本体１０の胴部１３に一体的に設けられた美観の高いものとすることができる。
【００３２】
また、ラベル付きブロー成形容器１の使用後に、材料のリサイクルのために、ラベル材２０を容器本体１０から分離してラベル材２０と容器本体１０とを分別して回収する際には、以下の手順でラベル材２０を容器本体１０から容易に分離することができる。
【００３３】
すなわち、図４に示すように、破断部２２の一端を指で摘んで引くことで、破断部２２を一端から他端に向けて容器本体１０の胴部１３から容易に引き剥がすことができる。また、破断部２２が胴部１３から引き剥がされると、ラベル主体部２１の周方向両端の間に破断部２２が除去された分の隙間が生じるので、ラベル材２０は周方向に分断され、その分断された部分の角を指で摘んで引くことで、ラベル主体部２１を容器本体１０の胴部１３から容易に引き剥がすことができる。
【００３４】
このように、本実施の形態のラベル付きブロー成形容器１では、ラベル材２０に、ラベル主体部２１に対して分離可能に接合する破断部２２を設け、破断部２２を容器本体１０から引き剥がすことでラベル材２０が左右に分断されるようにしたので、ラベル材２０を容器本体１０の胴部１３から分離する作業を容易にすることができる。
【００３５】
また、ラベル材２０は、破断部２２がラベル主体部２１に対して接合された構成となっているので、ラベル材２０自体を着色することやラベル材２０の表面を着色ないし文字や図柄等の印刷によって加飾することで、ラベル主体部２１と破断部２２との接合部ないし境界を当該加装部分で覆って外部から視認できなくすることができる。これにより、ラベル材に開孔が間隔を空けて並べて設けられて成る破断用の切り取り線を設ける場合に比べて、ラベル材２０を分断する破断部２２を設けつつラベル付きブロー成形容器１の美観をより高めることができる。この場合、ラベル材２０の表面に、破断部２２の端部の位置を示す表示を設けることができる。
【００３６】
上記構成のラベル付きブロー成形容器１においては、ラベル材２０は、ラベル主体部２１がポリオレフィン系樹脂またはポリエステル系樹脂である第１合成樹脂材料により形成されたものであり、破断部２２が、第１合成樹脂材料３０〜５０重量％と、第１合成樹脂材料と接着不可能なエチレン・ビニルアルコール共重合樹脂またはナイロンである第２合成樹脂材料３〜２０重量％と、第１合成樹脂材料と第２合成樹脂材料とを接着可能とするための接着性ポリマーである第３合成樹脂材料３０〜５０重量％と、を含む合成樹脂材料により形成されたものであるのが好ましい。このような構成とすることにより、ラベル主体部２１と破断部２２との接合部の強度を適度なものとして、ブロー成形時及びラベル付きブロー成形容器１の成形後において破断部２２をラベル主体部２１に確実に接合させつつ、破断部２２を容器本体１０から剥離する際に、破断部２２をラベル主体部２１に対して容易に破断させることが可能な構成とすることできる。
【００３７】
また、破断部２２は、上記した第１合成樹脂材料、第２合成樹脂材料及び第３合成樹脂材料に加えて、エチレン−メタクレート共重合樹脂である第４合成樹脂材料５〜２０重量％をさらに含む構成とすることもできる。この構成とすることより、破断部２２の柔軟性を高めることができるので、破断部２２を容器本体１０から剥離する際に、当該破断部２２を指で摘み易くして、破断部２２の剥離作業をより容易に行い得るようにすることができる。
【００３８】
上記構成を有するラベル材２０は、例えば、ラベル主体部２１を形成する第１合成樹脂材料がポリプロピレン樹脂（日本ポリプロ製  ＥＸ−６）であり、破断部２２を形成する合成樹脂材料が、上記した第１合成樹脂材料４５重量％、第２合成樹脂材料としてエチレン・ビニルアルコール共重合樹脂（クラレ製  ＥＰ−Ｅ１０５）１５重量％、第３合成樹脂材料としてモディック（三菱ケミカル製  Ｐ５１２Ｖ）３５重量％、第４合成樹脂材料としてエチレン−メタクリル酸共重合樹脂（三井デュポンポリケミカル製  ハイミラン１７０６）５重量％を含むものとすることができる。
【００３９】
本発明は前記実施の形態に限定されるものではなく、その要旨を逸脱しない範囲で種々変更可能であることはいうまでもない。
【００４０】
例えば、前記実施の形態においては、ラベル付きブロー成形容器１を、炭酸飲料等の清涼飲料を収容する用途に用いるものとしたが、これに限らず、例えば水、ビール、酒、醤油等の他の内容物を収容する用途に本発明を適用してもよい。
【００４１】
また、前記実施の形態においては、ラベル主体部２１を、ポリオレフィン系樹脂またはポリエステル系樹脂である第１合成樹脂材料により形成し、破断部２２を、第１合成樹脂材料３０〜５０重量％と、第１合成樹脂材料と接着不可能なエチレン・ビニルアルコール共重合樹脂またはナイロンである第２合成樹脂材料３〜２０重量％と、第１合成樹脂材料と第２合成樹脂材料とを接着可能とするための接着性ポリマーである第３合成樹脂材料３０〜５０重量％と、を含む合成樹脂材料により形成するようにしているが、これに限らず、ラベル主体部２１を形成する合成樹脂材料に対して、破断部２２を形成する合成樹脂材料が相溶性の低いものであり、破断部２２がラベル主体部２１に対して剥離可能に接合するものであれば、ラベル主体部２１を形成する合成樹脂材料及び破断部２２を形成する合成樹脂材料として、種々のものを用いることができる。
【００４２】
さらに、前記実施の形態においては、ラベル材２０は、容器本体１０の胴部１３のみを覆うように設けられてしているが、これに限らず、例えば、胴部１３とともに肩部１２も覆うように設け、または、胴部１３とともに底部１４も覆うように設け、あるいは肩部１２のみを覆うように設け、または、肩部１２、胴部１３及び底部１４の容器全体を覆うように設けるなど、ラベル材２０を設ける範囲は種々変更可能である。
【００４３】
さらに、前記実施の形態においては、ラベル材２０に１本の破断部２２のみを設けるようにしているが、これに限らず、複数本の破断部２２を設けるようにしてもよい。例えば、ラベル材２０の容器本体１０の軸心を挟んだ両側に、それぞれ破断部２２を設ける構成とした場合には、ラベル材２０を容器本体１０から分離させる際に、破断部２２を見つけ易くして、ラベル材２０を容器本体１０から分離させる作業をより容易にすることができる。
【符号の説明】
【００４４】
１    ラベル付きブロー成形容器
１０    容器本体
１１    口部
１２    肩部
１３    胴部
１４    底部
２０    ラベル材
２１    ラベル主体部
２２    破断部
２２ａ  側部
２２ｂ  側部
３０    プリフォーム
３１    口部
３２    本体部
【図１】
2019026339.tif 000003
【図２】
2019026339.tif 000004
【図３】
2019026339.tif 000005
【図４】
2019026339.tif 000006